(57)【要約】【課題】槽体の底面に設けられた排水口部材等の内部を、直接触れることなく、且つ全体にくまなく効果的に洗浄を行うことができる洗浄ユニットを提供する。【解決手段】排水機器に備えられる排水装置について、排水装置（１）の内部に金属層（２）を設けると共に、該金属層（２）に接する超音波発生素子（３）を備え、更に金属層（２）の表面を浸水する浸水手段を備えて構成する。また、この排水装置（１）に、封水によって臭気の逆流を防止するトラップ機能を備えると共に、金属層（２）の表面を浸水する浸水手段を、トラップ機能の封水に浸水させるものとしたことを特徴とする。また、上記超音波発生素子（３）を作動させるための電源に、非接触電源（４）を用いる。また、金属層（２）の表面を浸水する浸水手段を、排水装置（１）の内部表面に散水を行い、水膜を張る散水装置（５）とする。【選択図】図１
2009062781.tif 000002
【特許請求の範囲】
【請求項１】
排水機器に備えられる排水装置において、排水装置（１）の内部に金属層（２）を設けると共に、
該金属層（２）に接する超音波発生素子（３）を備え、
更に金属層（２）の表面を浸水する浸水手段を備えたことを特徴とする排水装置。
【請求項２】
上記排水装置（１）に、封水によって臭気の逆流を防止するトラップ機能を備えると共に、
上記金属層（２）の表面を浸水する浸水手段を、トラップ機能の封水に浸水させるものとしたことを特徴とする、請求項１に記載の排水装置。
【請求項３】
上記超音波発生素子（３）を作動させるための電源に、非接触電源（４）を用いることで、トラップ機能の封水内に配線を通すことなく供給することを特徴とする、請求項２に記載の排水装置。
【請求項４】
上記排水装置において、金属層（２）の表面を浸水する浸水手段を、
排水装置（１）の内部表面に散水を行い、水膜を張る散水装置（５）としたことを特徴とする、請求項１乃至請求項３のいずれか１つに記載の排水装置。
【発明の詳細な説明】
【技術分野】
【０００１】
本発明は流し台や洗面台、また浴室などの排水機器に用いられる排水装置に関するものである。
【背景技術】
【０００２】
流し台や洗面台、また浴室など、使用によって排水を生じる機器（以下「排水機器
」と呼ぶ）には、使用によって生じた排水を下水側に処理するため、排水装置が用いられる。これら排水装置には、単純に排水を集めてそれを下水側に排出するだけの機能しか備えないものや、トラップ機能と呼ばれる、内部に排水を溜めて臭気や害虫類が下水側から屋内側に侵入することを防止する機能を備えたものなどがある。
図８に示したのは流し台と、該流し台に採用された排水装置の一例で、下水側からの臭気や害虫類が屋内側に侵入することを防ぐため、トラップ機能を備えてなる。このような排水機器に備えられた排水装置について、排水機器を使用するうちに排水装置内部にゴミが沈殿したり、雑菌の繁殖が原因となってヌメリ成分が付着することが良く知られている。これらが排水装置内部に付着・沈殿すると極めて非衛生的であることから、あまり大量に沈殿・付着しないうちに清掃して排水装置内から取り除く必要がある。しかし、これらゴミやヌメリ成分は汚く、触ると大変不快感がするため、なるべくこれらに触れないまま排水装置内を清掃する方法が求められていた。
【０００３】
上記のような課題に対して、この課題を解決すべく、図９に示した、実開平６−４９５６８号に記載されたような排水装置が提案されている。この実開平６−４９５６８号の排水装置は、トラップ機能を備えた排水装置内部に洗浄ノズルを設け、この洗浄ノズルから圧力を加えた排水を流すことで、排水装置内部に付着・沈殿したゴミやヌメリ成分を、直接触れることなく洗浄して流し出すことができる。
【０００４】
【特許文献１】実開平６−４９５６８号公報
【発明の開示】
【発明が解決しようとする課題】
【０００５】
実開平６−４９５６８号公報の排水装置の場合、排水装置内部において洗浄を行うことができるのは、洗浄ノズルの延長線上にある部分近辺に限定される。更に、実際の洗浄は、洗浄用の洗浄水が照射される特定の位置の、特定の角度に対してのみ行われ、それ以外の箇所の洗浄はほとんど行うことができなかった。
【０００６】
本発明は上記の課題に鑑みて成されたものであり、その目的とする処は、流し台や洗面台、また浴室などの排水機器に用いられる排水装置の内部を、直接触れることなく、且つ全体にくまなく効果的に洗浄を行うことができる洗浄機能付きの排水装置を提供するものである。
【課題を解決するための手段】
【０００７】
請求項１に記載の本発明は、排水機器に備えられる排水装置において、排水装置（１）の内部に金属層（２）を設けると共に、該金属層（２）に接する超音波発生素子（３）を備え、更に金属層（２）の表面を浸水する浸水手段を備えたことを特徴とする排水装置である。
尚、ここで言う「浸水」とは、物体が溜まり水に浸かった状態や、物体の表面に水が晒されている場合など、物体の表面に水が存在している状態を指し示す表現であって、物体の表面に水を存在させる方法については特に限定するものではない。
【０００８】
請求項２に記載の本発明は、上記排水装置（１）に、封水によって臭気の逆流を防止するトラップ機能を備えると共に、上記金属層（２）の表面を浸水する浸水手段を、トラップ機能の封水に浸水させるものとしたことを特徴とする上記段落０００７に記載の排水装置である。
【０００９】
請求項３に記載の本発明は、上記超音波発生素子（３）を作動させるための電源に、非接触電源（４）を用いることで、トラップ機能の封水内に配線を通すことなく供給することを特徴とする、上記段落０００８に記載の排水装置である。
【００１０】
請求項４に記載の本発明は、上記排水装置において、金属層（２）の表面を浸水する浸水手段を、排水装置（１）の内部表面に散水を行い、水膜を張る散水装置（５）としたことを特徴とする、上記段落０００７乃至段落０００９のいずれか１つに記載の排水装置である。
【発明の効果】
【００１１】
本発明の洗浄ユニットは、以下（１）．〜（５）．の効果を奏する。
（１）．請求項１に記載の本発明では、排水装置内部に金属層を設けると共に、該金属層に接する超音波発生素子を備え、更に金属層の表面を浸水する浸水手段を備えたことで、浸水箇所に効果的に超音波の洗浄効果を生じさせることができ、排水装置内部に直接触れることなく、且つ排水装置内部の全体をくまなく効果的に洗浄を行うことができる。
（２）．請求項２に記載の本発明では、金属層の表面を浸水する浸水手段をトラップ機能の封水に浸水させるものとしたことで、浸水手段を明確化することができる。
（３）．請求項３に記載の本発明では、封水によるトラップ機能を付加した排水装置において、上記超音波発生素子を作動させるための電源に、非接触電源を用いたことで、封水内に配線を通すことなく電力をすることができるようになった。このため、封水内の超音波発生素子に電力を供給しつつ、且つ漏電の発生することのないトラップ機能付き排水装置とする事ができる。
（４）．請求項４に記載の本発明では、金属層の表面を浸水する浸水手段を、排水装置内に水膜を展開するための散水装置によって浸水させるものとしたことで、浸水手段を明確化することができる。
【実施例】
【００１２】
以下に本発明の第一実施例を、図面を参照しつつ説明する。
図１乃至図３に示した本発明の第一実施例は、図８に示したような、排水機器である流し台（Ｋ）に取り付けられる排水装置に関するものであって、以下に記載した、槽体であるシンク（Ｓ）及び該シンク（Ｓ）に取り付けられるトラップ機能付き排水装置（１）、該排水装置（１）の排出口（１０）から床下配管までの間を接続する配管部材（Ｐ）等の各部材から構成されてなる。
流し台（Ｋ）は、底面に開口を備えた槽体であるシンク（Ｓ）と、内部に排水装置（１）や配管部材（Ｐ）を初めとする各部材を収納配置するキャビネット（Ｃ）を備えてなる。
排水装置（１）は、トラップ機能と呼ばれる、内部に排水を溜めて臭気や害虫類が下水側から屋内側に侵入することを防止する機能を備えたものであって、以下に説明する排水装置本体（６）と防臭椀部（７）とゴミ篭（図示せず）とからなる。
排水装置本体（６）は、有底筒状にして上方の開口は排水機器が使用した排水を集める排水口（８）として機能し、また底面から上方に向かって立ち上がった防臭筒（９）を備えると共に、該防臭筒（９）に連通する排出口（１０）を備えてなる。また、防臭筒（９）の外側面は０．３ミリメートル程度の厚みのステンレス合金からなる金属層（２）で被覆してなる。また、後述する封水の水面の上端よりも上方の位置において、排水装置本体（６）の内面に水膜を張るための散水装置（５）を備えてなる。また、排水装置本体（６）の外側面に、超音波発生素子（３）の電源となる非接触電源（４）の発信機構（４ａ）を備えてなる。
防臭椀部（７）は、筒状にして上端を閉塞してなり、その内部に埋め込むようにして洗浄用の超音波発生素子（３）と、超音波発生素子（３）の電源となる非接触電源（４）の受信機構（４ｂ）を備えてなる。また防臭椀部（７）は内側面を０．３ミリメートル程度の厚みのステンレス合金からなる金属層（２）で被覆してなり、その金属層（２）に超音波発生素子（３）の端部が接触するように取り付けられてなる。その他の部分は合成樹脂によって成形されてなる。
ここで、上記した非接触電源（４）とは、絶縁トランスの理論を利用して構成された電源の接続構造であり、電動歯ブラシやワイヤレス電話の子機などに利用されている。
その構造を簡単に説明すると、一次側トランスを備えた非接触電源（４）の発信機構（４ａ）と、同様に、二次側トランスを備えた非接触電源（４）の受信機構（４ｂ）を、適切な位置に配置する（この配置時、両者に直接的な接触はない。このため非接触と呼ばれる）。ここで一次側トランスに高周波発信回路によって磁束を生じさせると、出力側の二字側トランスが磁束を受けて電磁誘導を生じさせる、という流れになる。この際に生じた電流は蓄電機能（一般には充電池）に充電され、超音波発生素子（３）に通電を行うための電流として使用される。
この発信機構（４ａ）と受信機構（４ｂ）との間の電気の流れは直接的な電気の流れではなく、電力、磁力、電力という変化を起こしての流れであり、磁力での伝達部分は直接接触していなくても、壁などを介しても伝えることが出来るため、排水装置（１）の外部から内部に、配線用の穴などを開けなくでも電気を通電することが出来る。
上記排水装置（１）の排水装置本体（６）や防臭椀部（７）は、非接触電源（４）や金属層（２）の部分など必要の有る部分を除き、大部分を樹脂によって成形されてなる。
ゴミ篭は排水装置本体（６）の内部に配置される部材であって、有底筒状のメッシュ体と、このメッシュ体を排水口（８）の周縁につり下げるフレーム部から構成され、メッシュ体によって排水中のゴミなどを排水から分離する機能を有している。
【００１３】
上記の各部材は、以下のようにして、排水機器である流し台（Ｋ）のシンク（Ｓ）に接続される。
槽体であるシンク（Ｓ）の底面の開口に排水装置本体（６）の排水口（８）を水密的に接続し、更に配管部材（Ｐ）を用いて排出口（１０）と床下配管を接続する。更に排水装置本体（６）内部に、防臭椀部（７）を非接触電源（４）の発信側と受信側が適切に向き合う位置で、且つ防臭椀部（７）の内部に防臭筒（９）の上端が収まり、また防臭椀部（７）の下方及び防臭筒（９）の上方に排水の可能な隙間を備えた状態で固定配置する。
また、散水装置（５）に必要時散水が可能なように給水配管（Ｗ）を接続して、本実施例の洗し台の施工が完了する。
【００１４】
上記のように構成された流し台（Ｋ）を使用した場合、シンク（Ｓ）内から排水口（８）に流れ込んだ排水は、排水装置本体（６）内部に流れ込み、防臭椀部（７）の外側面、防臭椀部（７）と排水装置本体（６）の底面の間、防臭椀部（７）と防臭筒（９）の間、をそれぞれ通過し、最終的に防臭筒（９）の上端から溢れた排水が、排出口（１０）から配管部材（Ｐ）を介して床下配管に排出される。このとき、排水装置本体（６）内部の、底面から防臭筒（９）の上端迄の間に、図２、図３に示したように排水が溜まる（図２、図３中のＷＬは、この封水の水面である）。この溜まった排水は封水と呼ばれ、床下配管側から逆流してきた臭気や害虫類は、この封水部分を通過することができないため、排水口（８）を介して屋内に臭気や害虫類が侵入することが無くなる。また、排水内に混入していたゴミなどの大部分は、排水口（８）内に配置していたゴミ篭に捕集され、ゴミ篭の下流側に流出することはない（ゴミ篭の目よりも小さなゴミなど、わずかな一部がゴミ篭より下流側に流出する）。
【００１５】
上記のように構成した排水装置において、流し台（Ｋ）の使用によって排水装置（１）内にゴミやヌメリが生じた場合、排水装置本体（６）内面のゴミやヌメリの発生・付着状況によって、次の２通りの方法を選択し、洗浄を行うことができる。
（１）．特に封水に接している部分にゴミやヌメリの付着が集中している場合、超音波発生素子（３）のみを作動させる。具体的には、発信機構（４ａ）側に通電を行うと、発信機構（４ａ）の一次側トランス、一次側トランスによる磁束発生、受信機構（４ｂ）の二次側トランスの電磁誘導による電流発生、という過程を経て、最終的に超音波発生素子（３）に電流が流れ、洗浄用の超音波が発生する。超音波発生素子（３）で発生した超音波は、接している防臭椀部（７）の金属層（２）を振動させ、封水内全体に超音波振動を伝達させる（洗浄用の超音波の振動は、液体内を伝達する）。特にこの実施例では、図２に示したように金属層（２）を防臭椀部（７）内面だけではなく、超音波発生源である防臭椀部（７）内面の対向位置である防臭筒（９）の外側面にも備えているため、この防臭筒（９）の外側面の金属層（２）にて超音波の反射が発生し、封水内全体に効率よく超音波が伝達する。
これによって排水装置本体（６）内部、及び防臭椀部（７）の、封水に接している部分の表面に微細な泡が発生し、この泡が排水装置本体（６）内部中の封水に接した部分の表面や防臭椀部（７）表面に付着したゴミやヌメリなどを分解・剥離して封水内に落下・沈殿させる。
（２）．ゴミやヌメリが排水装置（１）の内部全体に広く付着している場合、まず散水装置（５）を作動させ、図３に示したように、排水装置本体（６）の内面に水膜を張り、排水装置本体（６）の底面から散水装置（５）までの排水装置本体（６）内面を水に浸水させる。図３中の一点鎖線の矢印が散水装置（５）からの吐水の流れであり、この一点鎖線の矢印の範囲に水が流れて水膜を形成しつつ封水に流れ込むことで、トラップ本体（６）内部を連続した水の流れが覆うこととなる。
このようにトラップ本体（６）内面に散水装置（５）からの水膜が張った状態で超音波発生素子（３）を作動させる。具体的には、発信機構（４ａ）側に通電を行うと、発信機構（４ａ）の一次側トランス、一次側トランスによる磁束発生、受信機構（４ｂ）の二次側トランスの電磁誘導による電流発生、という過程を経て、最終的に超音波発生素子（３）に電流が流れ、洗浄用の超音波が発生する。超音波発生素子（３）で発生した超音波は、接している防臭椀部（７）の金属層（２）を振動させ、封水内全体に超音波振動を伝達させる（洗浄用の超音波の振動は、連続する液体内を伝達する）。特にこの実施例では、金属層（２）を防臭椀部（７）内面だけではなく、超音波発生源である防臭椀部（７）内面の対向位置である防臭筒（９）の外側面にも備えているため、この防臭筒（９）の外側面の金属層（２）にて超音波の反射が発生し、排水装置（１）中の、水が接している部分全体に効率よく超音波が伝達する。
これによって排水装置本体（６）内部及び防臭椀部（７）の、封水に接している面に加え、散水装置（５）からの散水によって水膜が張られた排水装置本体（６）の内面にも微細な泡が発生し、この泡が排水装置本体（６）内部表面や防臭椀部（７）表面に付着したゴミやヌメリなどを分解・剥離して封水内に落下させる。
更に散水装置（５）からの散水によって、排水装置本体（６）内には排水の流れが発生しており、封水内に落下したゴミやヌメリ等はそのまま排水の流れに沿って排出口（１０）から配管部材（Ｐ）を介し、下水側に排出される。
また、この第一実施例では着脱自在な防臭椀部に超音波発生素子を備えたため、超音波発生素子等に故障が生じた場合、防臭椀部のみを取り外し、業者に郵送するなどの方法で、簡単に部材の修理を行うことができる。
【００１６】
次に本発明の第二実施例を、図面を参照しつつ説明する。
図４乃至図６に示した本発明の実施例は、排水機器である浴室に取り付けられるトラップ機能付きの排水装置（１）に関するものであって、以下に記載した、排水装置本体（６）、及び防臭筒（９）から構成されてなる。
排水装置本体（６）は、有底筒状にして上方に開口を備えた封水部（１１）と、この封水部（１１）を溢れた排水が流れる、上方に開口を形成する排水流路部（１２）、および該排水流路部（１２）を流れた排水が排出される排出口（１０）からなる。また、封水部（１１）内面および排水流路部（１２）内面は０．３ミリメートル程度の厚みのステンレス合金からなる金属層（２）で被覆してなり、そのそれぞれの金属層（２）に超音波発生素子（３）の端部が接触するように取り付けられてなる。超音波発生素子（３）の電源は排水装置本体（６）の外壁から、屋内用の一般電源に接続して供給する。また、後述するトラップ機能の封水の水面の上端よりも上方の位置の排水流路部（１２）と排水口（８）とに、排水装置本体（６）の内面および防臭筒（９）の内面に水膜を張るための散水装置（５）を備えてなる。
防臭筒（９）は、筒状にして上端は排水装置本体（６）の排水流路部（１２）の開口部に水密的に接続し、下端は排水装置本体（６）の封水部（１１）内に配置される。また防臭筒（９）は外側面を０．３ミリメートル程度の厚みのステンレス合金からなる金属層（２）で被覆してなる。
上記排水装置（１）の排水装置本体（６）や防臭筒（９）は、非接触電源（４）や金属層（２）の部分など必要の有る部分を除き、大部分を樹脂によって成形されてなる。
【００１７】
上記の各部材は、以下のようにして、排水機器である浴室の床パンに施工される。
浴室の底面に設けられた開口に、排水装置本体（６）の排水流路部（１２）上方の開口部を水密的に接続し、更に配管部材（Ｐ）を用いて排出口（１０）と床下配管を接続する。更に排水装置本体（６）内部に、防臭筒（９）を、下端が排水装置本体（６）の封水部（１１）に配置されるように差し込み、上端は排水流路部（１２）上方の開口部に水密的に接続する。このとき、この排水流路部（１２）上方の開口部が、排水機器である床パンの排水を集めて排水装置（１）内部に流し込む排水口（８）として機能する。更に、超音波発生素子（３）の電源を一般電源に接続すると共に、散水装置（５）に必要時散水が可能となるように給水配管（Ｗ）を接続して、本実施例の排水装置（１）の施工が完了する。
【００１８】
上記のように構成された排水装置（１）において、浴室の使用により排水口（８）に排水が生じた場合に、排水口（８）に流れ込んだ排水は、排水装置（１）内部に流れ込み、防臭筒（９）内側面、防臭筒（９）下端と封水部（１１）の底面の間、封水部（１１）内側面と防臭筒（９）外側面の間、をそれぞれ通過し、最終的に封水部（１１）の上端から溢れた排水が、排水流路部（１２）を通過し、排出口（１０）から配管部材（Ｐ）を介して床下配管に排出される。このとき、排水装置本体（６）内部の、封水部（１１）の底面から上端迄の間に、図５、図６に示したように排水が溜まる。この溜まった排水は封水と呼ばれ、床下配管側から逆流してきた臭気や害虫類は、この封水部分を通過することができないため、排水口（８）を介して屋内に臭気や害虫類が侵入することが無くなる（図５、図６中のＷＬは、この封水の水面である）。
【００１９】
上記のように構成した排水装置（１）において、浴室の使用によって排水装置（１）内部にゴミやヌメリが生じた場合、排水装置本体（６）内面のゴミやヌメリの発生・付着状況によって、次の２通りの方法を選択し、洗浄を行うことができる。
（１）．特に封水に接している部分にゴミやヌメリの付着が集中している場合、超音波発生素子（３）に通電を行い、超音波を発生させる。超音波発生素子（３）で発生した超音波は、接している封水部（１１）の金属層（２）を振動させ、封水内全体に超音波振動を伝達させる（洗浄用の超音波の振動は、液体内を伝達する）。特にこの実施例では、図５に示したように、金属層（２）を封水部（１１）内面だけではなく、超音波発生源である封水部（１１）内側面の対向位置である防臭筒（９）の外側面にも備えているため、この防臭筒（９）の外側面の金属層（２）にて超音波の反射が発生し、封水内全体に効率よく超音波が伝達する。
これによって排水装置本体（６）内部、及び防臭筒（９）の、封水に接している部分の表面に微細な泡が発生し、この泡が排水装置本体（６）内部中の封水に接した部分の表面や防臭筒（９）表面に付着したゴミやヌメリなどを分解・剥離して封水内に落下・沈殿させる。
（２）．ゴミやヌメリが排水装置（１）の内部全体に広く付着している場合、まず散水装置（５）を作動させ、図６に示したように、排水口（８）内部や防臭筒（９）の封水水面よりも上方、また排水流路部（１２）など排水装置本体（６）の内面に水膜を張り、排水装置本体（６）の底面から散水装置（５）までの排水装置本体（６）内面を水に浸水させる。図６中の一点鎖線の矢印が散水装置（５）からの吐水の流れであり、この一点鎖線の矢印の範囲に水が流れて水膜を形成しつつ封水に流れ込むことで、トラップ本体（６）内部を連続した水の流れが覆うこととなる。
このトラップ内面に散水装置（５）からの水膜が張った状態で超音波発生素子（３）に通電を行い、超音波を発生させる。
超音波発生素子（３）で発生した超音波は、超音波発生素子（３）が接している封水部（１１）内面の金属層（２）および排水流路部（１２）内面の金属層（２）を振動させせる（洗浄用の超音波の振動は、連続している液体内を伝達する）。特にこの実施例では、金属層（２）を封水部（１１）内面だけではなく、超音波発生源である封水部（１１）内面の金属層（２）の対向位置である防臭筒（９）の外側面にも備えているため、この防臭筒（９）の外側面の金属層（２）にて超音波の反射が発生し、排水装置（１）中の、水が接している部分全体に効率よく超音波が伝達する。
これによって排水装置本体（６）内部及び防臭筒（９）の、封水に接している面に加え、散水装置（５）からの散水によって水膜が張られた排水装置本体（６）の内面にも微細な泡が発生し、この泡が排水装置本体（６）内部表面や封水部（１１）表面に付着したゴミやヌメリなどを分解・剥離して封水内に落下させる。
更に散水装置（５）からの散水によって、排水装置本体（６）内には排水の流れが発生しており、封水内に落下したゴミやヌメリ等はそのまま排水の流れに沿って排出口（１０）から排水管を介し、下水側に排出される。
【００２０】
本発明の実施例は上記のようであるが、本発明の実施例は上記に限定されるものではなく、発明の主旨を逸脱しない範囲で自由に変更が可能である。
例えば上記上記第一実施例、第二実施例では、いずれも排水装置（１）にトラップ機能を備えているが、本発明は上記実施例に限定されるものではなく、図７に示した実施例のように、単純に排水を集めてそれを下水側に排出するだけの機能しか備えない、トラップ機能を有さない排水装置（１）に採用しても構わない。この図７の排水装置（１）の場合、排出口（１０）の更に下流に、管体を屈曲させた管トラップと呼ばれるトラップ機能を備えた管体を配置することによって、臭気や害虫類が下水側から屋内側に侵入することを防止する機能を備えてなる。
【００２１】
また、上記第一実施例、第二実施例では、排水装置（１）内部の内、直接超音波発生素子（３）に触れる部分と、特に効果的に作用する部分にのみ金属層（２）を配置しているが、直接超音波発生素子（３）に触れる部分においては発生した超音波を水中に伝達するため必須であるものの、それ以外の部分については、適宜金属層（２）の採用、不採用を変更しても構わない。金属層（２）を備えた部分では特に効果的に洗浄の効果が生じるため、排水装置（１）の内部全体に金属層（２）を備えれば、極めて容易に超音波による洗浄を行うことができるが、コスト等の兼ね合いから、直接超音波発生素子（３）に触れる部分以外に付いては金属層（２）を省略して樹脂表面を露出させるような構造としても構わない。又は別途上記第一実施例、第二実施例とは異なる場所に金属層（２）を備えても構わない。
【００２２】
また、トラップ機能付き排水装置（１）に本発明を採用する場合、封水を利用する構造のトラップ機能であれば、上記第一実施例、第二実施例のトラップ機能の構造に限定されることなく、どのようなトラップ機能を採用しても構わない。
【００２３】
また、上記第一実施例、第二実施例では、金属層（２）を、０．３ミリメートル程度の厚みのステンレス合金からなる金属材で被覆しているが、この金属層（２）の構成方法についても、メッキなどの手段によって部材表面に金属層（２）を構築するようにしても構わない。
【００２４】
また、上記第一実施例、第二実施例では、洗浄に使う水について、特に細かな記載をせず、一般的な水道水を前提としての説明を行ったが、洗浄効果を向上させるため、例えば吐水に洗剤などの薬剤を混入させたり、ヒーターなどを利用して熱湯などを利用しても構わない。
【図面の簡単な説明】
【００２５】
【図１】本発明の第一実施例による排水装置を示す断面図である。
【図２】本発明の第一実施例による排水装置の洗浄時を示す断面図である。
【図３】本発明の第一実施例による排水装置の洗浄時を示す断面図である。
【図４】本発明の第二実施例による排水装置を示す断面図である。
【図５】本発明の第二実施例による排水装置の洗浄時を示す断面図である。
【図６】本発明の第二実施例による排水装置の洗浄時を示す断面図である。
【図７】本発明をトラップ機能の無い排水装置に採用した実施例の断面図である。
【図８】排水装置が採用された流し台を示す参考図である。
【図９】従来の排水装置を示す断面図である。
【符号の説明】
【００２６】
１    排水装置                    ２    金属層
３    超音波発生素子              ４    非接触電源
４ａ  発信機構                    ４ｂ  受信機構
５    散水装置                    ６    排水装置本体
７    防臭椀部                    ８    排水口
９    防臭筒                      １０  排出口
１１  封水部                      １２  排水流路部
Ｃ    キャビネット                Ｋ    流し台
Ｐ    配管部材                    Ｓ    シンク
Ｗ    給水配管                    ＷＬ  封水水面
【図１】
2009062781.tif 000003
【図２】
2009062781.tif 000004
【図３】
2009062781.tif 000005
【図４】
2009062781.tif 000006
【図５】
2009062781.tif 000007
【図６】
2009062781.tif 000008
【図７】
2009062781.tif 000009
【図８】
2009062781.tif 000010
【図９】
2009062781.tif 000011